(57)【要約】【課題】剥離紙の片面に連続して形成された粘着材を有し、市場に広く普及している幅5mm〜15mmの両面テープの剥離紙を、切り取って貼り付けた素材と両面テープの粘着材に、機能上支障のない軽微な痕跡を残すのみで剥がし易く確実に剥がすことができ、かつ剥がされた剥離紙端部が任意の高さに加減できる安価な両面テープ剥離紙剥がし具を提供する。【解決手段】操作用ツマミ２の前方端面に取り付けた針状の剥がし針７の針先の刺し込み部８を、素材２９に貼り付けた両面テープ１１のテープ端面１４の近傍付近に上方斜め方向から刺し込んで剥離紙１２を捕らえ、操作用ツマミ２の円弧状下端面３と両面テープ１１の上面との接触点１７〜１８を支点にして操作用ツマミ２の後方部５を下げることにより梃子方式で剥がし針７を持ち上げて剥離紙１２を剥がすため、剥離紙１２および操作用ツマミ２のふらつきが少なく確実に剥がすことができる。【選択図】  図１
2020121824.tif 000002
【特許請求の範囲】
【請求項１】
下端面の形状が、前方から後方上部にかけて略円弧状である板状の操作用ツマミの前方端面に、針状の剥がし針の針先を外方に向けて飛び出した状態に取り付けたことを特徴とする両面テープ剥離紙剥がし具。
【請求項２】
針先に１ｍｍ〜１．５ｍｍの刺し込み部を除いて、残り部にスリーブをはめ込んだ全長５ｍｍ〜８ｍｍの剥がし針であることを特徴とする請求項１の両面テープ剥離紙剥がし具。
【発明の詳細な説明】
【技術分野】
【０００１】
本発明は、剥離紙の片面に連続して形成された粘着剤を有し、現在市場に広く普及している幅５ｍｍ〜１５ｍｍの両面テープにおいて、該テープを素材に貼り付けた後の剥離紙を剥がす工具に関する。
【背景技術】
【０００２】
従来、前記両面テープの剥離紙を剥がすには、爪先やカッターの刃先を使って行う方法が一般的であるが細かな作業であるため煩わしい作業であった。
【０００３】
また、下記文献１に指輪類に針類の剥がし部を設けて両面テープの剥離紙を剥がす剥がし具が公表されているが、該文献によると剥がす時、指に差し込んだ該剥がし具の先端部を両面テープの剥離紙の端部に引っかけて剥がすとなっているが、剥離紙の厚みは０．１ｍｍ以下であり剥離紙のみを引っかけることは困難であり、剥がしのメカニズムが判然としない。また、針状のものを指に取り付けるため作業中の危険性も推察される。
【０００４】
さらに、文献２は、針をテープ端の２ｍｍくらいの位置に刺して持ち上げ剥離紙を剥がす両面テープ剥がし器が公表されているが刺し込みが０．５ｍｍ〜１ｍｍと小さく、持ち上げる時の支えやガイド等の規制するものがないため、該剥がし器がふらついて差し込まれた剥離紙が該剥がし器針から外れてしまい確実性に欠けること、また該剥がし器で剥がされた剥離紙を指等で掴んで残りの剥離紙を剥がす場合において、該剥がし器で剥がされた剥離紙の上面に該剥がし器の本体が被さっているため、５ｍｍ幅等の幅寸法の小さい両面テープの場合は該本体が邪魔をして掴みしろが無く掴みにくいこと、さらに該剥がし器の部品点数が多く本提案の両面テープ剥離紙剥がし具に比較して高価になるという問題がある。
【先行技術文献】
【特許文献】
【０００５】
【特許文献１】特開２００２−１９２８９３号公報
【特許文献２】特開２０１１−１２１３４９号公報
【発明の概要】
【発明が解決しようとする課題】
【０００６】
素材に貼り付けた両面テープの剥離紙を、素材と粘着材に使用上支障のない軽微な痕跡を残すのみで、剥がし易く確実に剥がすとともに、剥がされた剥離紙の端部付近を指又はピンセットで摘み、貼られた両面テープの残りの剥離紙を引き剥がす場合において、該剥離紙の端部を指又はピンセット等で摘まみやすい高さに加減ができ、安価な両面テープ剥離紙剥がし具を提供する。
【課題を解決するための手段】
【０００７】
厚さ３ｍｍ〜４ｍｍの板状で前方下端部に突き出した鼻部を一体で形成し、下端面は前方から後方上部に向けて半径７０ｍｍ〜８０ｍｍの円弧状をなし、該鼻部の前方端面に針状で先端１ｍｍ〜１．５ｍｍの刺し込み部を除いて、刺し込み深さを制限するための金属または樹脂製のスリーブをはめた全長５ｍｍ〜８ｍｍの剥がし針を、針先を外方に向けて飛び出した状態に取り付けた簡単な構成の操作用ツマミを図３に示すように指で摘まみ、素材に貼り付けた両面テープの端面から略５ｍｍで幅の中央付近に、図４に示すように該両面テープ上面とθの角度をなす斜め上方から剥がし針の刺し込み部を刺し込んだ後、図４、図５、図６、に示すように該両面テープ上面と該操作用ツマミの下端面との接触点を支点にして該操作用ツマミの後方部を下げ、梃子方式で前方の剥がし針を持ち上げて剥離紙を引き剥がす。このとき、両面テープに刺し込んだ剥がし針が図５に示すように両面テープ上面と平行の位置まで持ち上げるまでの剥がし始めの初期動作中に剥離紙が剥がし針から最も外れ易い。しかし操作用ツマミの下端面が円弧状であり操作用ツマミの後方部を下げることにより操作用ツマミは回転して、下げ幅に応じて支点の位置は前方から後方部へ移動するため前記の剥がし始めの初期動作において該支点が剥がし針寄りに、即ち前方側に位置するため梃子方式による剥がし針を持ち上げる速度はゆっくりとなり、ふらつきのない安定した動作となるため剥離紙が外れる確率は非常に小さい。さらに、剥離紙は剥がし針および支点により規制されながら梃子方式で剥がされるため、図６に示すように最後までふらつきの無い安定した引き剥がし動作を確実に行うことができ、また操作用ツマミ後方部の下げ幅により剥がされた剥離紙端面の高さの加減ができる。
【０００８】
本発明の実施形態による実験の結果、前記における刺し込み角度θにおいて、角度θが４０度より大きな場合は、差し込まれた針を持ち上げる時、素材に刺し込まれた刺し込み部の針先の抵抗が大きく、２０度より小さな場合は、針先が剥離紙上面を滑ってしまい刺し込みにくいため２０度〜４０度の範囲が適している。
【０００９】
本発明未使用時には、図１に示すように柔軟性のある樹脂製のキャップを鼻に差し込んで剥がし針全体を覆い安全性を確保している。
【発明の効果】
【００１０】
剥離紙および操作用ツマミのふらつきが少なく安定した操作が行われるため、剥がし操作中に剥離紙が剥がし針から外れることが少なく、剥がし易くてかつ確実に剥がすことができる。
【００１１】
梃子方式による支点の位置は操作用ツマミの後方部を下げることにより前方から後方へ移動するため剥離紙を長い範囲において確実に剥がすことができ、また剥がされた剥離紙の端面の高さは操作用ツマミ後方部の下げ幅により加減が可能で、例えば該端面を指で摘まみやすい高さやピンセットでつかみやすい高さ等、任意の高さにすることができる。
【００１２】
本発明は、板状の操作用ツマミと剥がし針およびスリーブのみの簡単な構成であり、剥離紙端面の剥がし針が刺し込まれた周辺には邪魔をするものがないため、該端面を容易に摘まむことができる。
【００１３】
素材および両面テープの粘着材に与える痕跡は、スリーブにより刺し込み深さが制限された針先の刺し込み部による軽微な引っ掻き傷のみである。
【００１４】
簡単な構成のため安価な両面テープ剥離紙剥がし具が提供できる。
【図面の簡単な説明】
【００１５】
【図１】本発明による実施形態の斜視図である。
【図２】本発明による実施形態の側面図である。
【図３】本発明を使用して両面テープに剥がし針を差し込む操作の斜視図である。
【図４】本発明による両面テープに剥がし針を刺し込む時の側面図である。
【図５】梃子方式で剥がし針を持ち上げて両面テープと平行な高さまで剥離紙を剥がし始めた時の側面図である。
【図６】さらに剥離紙を大きく持ち上げて所定の高さまで剥がした時の側面図である。
【発明を実施するための形態】
【００１６】
略板状で前方下端部に突き出した鼻部４を一体で形成し、下端面３は前方から後方部上部に向けて円弧状をなし該鼻部４の前方端面に剥がし針７を取り付けた操作用ツマミを指でつまんで操作し、該剥がし針７の刺し込み部８を素材２９に貼り付けた両面テープ１１の端面１４の端から略５ｍｍで幅の中央付近に上方斜め方向２０度〜４０度から刺し込んで剥離紙１２を捕らえ、該操作用ツマミ２の円弧状の下端面３と両面テープ１１の上面との接触点１７〜１８を支点にして梃子方式で剥がし針７を持ち上げて剥離紙１２を引き剥がす。
【実施例】
【００１７】
以下実施例につき説明する。
図１は本発明による実施形態の斜視図を示し、２は操作用ツマミで前方下部側に突出した鼻４を一体で形成し、該鼻４の前端には剥がし針７が飛び出した状態で取り付けてある。該操作用ツマミ２の板厚は略４ｍｍ、鼻４の上下幅は略９ｍｍ、同長さは略１５ｍｍであり、該剥がし針７は市販の呼び径０．７６ｍｍの手縫い針を切断したもので全長の長さは略６ｍｍ、針先の刺し込み部８の長さは１ｍｍ〜１．５ｍｍであり残りはスリーブ９で覆われており鼻４には未使用時の針先による危険防止のためキャップ１０を差し込んで剥がし針７の全体を覆っている。
【００１８】
図２は本発明による実施形態の側面図を示し、操作用ツマミ２の下端面３は前方から後方部５の上部に向けた半径７０ｍｍの円弧状をなしている。
【符号の説明】
【００１９】
１    両面テープ剥離紙剥がし具
２    操作用ツマミ
３    下端面
４    鼻
５    後方部
６    鼻下端面
７    剥がし針
８    差し込み部
９    スリーブ
１０  保護用キャップ
１１  両面テープ
１２  剥離紙
１３  粘着材
１４  テープ端面
１５  差し込み点
１６  指
１７  剥がし始めの前方接触点
１８  剥がし終わりの後方接触点
２９  素材
Ｈ１  Ｈ２  剥離紙の剥がし高さ
Ｌ１  Ｌ２  剥離紙の剥がし長さ
【図１】
2020121824.tif 000003
【図２】
2020121824.tif 000004
【図３】
2020121824.tif 000005
【図４】
2020121824.tif 000006
【図５】
2020121824.tif 000007
【図６】
2020121824.tif 000008
【手続補正書】
【提出日】平成31年4月5日(2019.4.5)
【手続補正１】
【補正対象書類名】特許請求の範囲
【補正対象項目名】請求項１
【補正方法】変更
【補正の内容】
【請求項１】
略板状で前方下端部に突き出した鼻部を一体で形成し、下端面の形状が前方から後方上部にかけて下方に凸の略円弧状である操作用ツマミを有し、前記鼻部の前方端面に、針状の剥がし針の針先を外方に向けて飛び出した状態に取り付けたことを特徴とする両面テープ剥離紙剥がし具。